(57)【要約】  アクティブエリア（ＡＡ）側を内側として各ＣＳ幹配線群（ＢＢ１、ＢＢ２）における、少なくとも、最も外側のＣＳ幹配線（ｂｂ）を除くＣＳ幹配線（ｂｂ）に接続された補助容量バスライン（ＣｓＬ）は、アクティブエリア（ＡＡ）からＣＳ幹配線（ｂｂ）との接続箇所に至るまでの箇所であるフィード部（Ｆ）に、アクティブエリア（ＡＡ）から上記接続箇所への補助容量バスライン（ＣｓＬ）の延長線上から逸れて引き回される部分である蛇行部（４１）であって、アクティブエリア（ＡＡ）から上記接続箇所までの距離（ｄ）が小さいほど大きな配線全長を有する蛇行部（４１）を備えている。
2010007824.tif 000002
【特許請求の範囲】
【請求項１】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
少なくとも１つの補助容量バスラインは、上記アクティブエリアから上記各ＣＳ幹配線群の少なくとも１つにおける上記ＣＳ幹配線との接続箇所に至るまでの箇所であるフィード部に、上記アクティブエリアから上記接続箇所への上記補助容量バスラインの延長線上から逸れて引き回される部分である蛇行部を備えていることを特徴とする表示装置。
【請求項２】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
上記アクティブエリア側を内側として各上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有していることを特徴とする表示装置。
【請求項３】
上記アクティブエリアから上記接続箇所までの上記距離と、上記蛇行部の上記配線全長との対応関係は、上記一方側に隣接する領域に設けられた上記ＣＳ幹配線群と上記他方側に隣接する領域に設けられた上記ＣＳ幹配線群とで互いに同じであることを特徴とする請求項２に記載の表示装置。
【請求項４】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
少なくとも１つの補助容量バスラインは、上記アクティブエリアから上記ＣＳ幹配線群における上記ＣＳ幹配線との接続箇所に至るまでの箇所であるフィード部に、上記アクティブエリアから上記接続箇所への上記補助容量バスラインの延長線上から逸れて引き回される部分である蛇行部を備えていることを特徴とする表示装置。
【請求項５】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
上記アクティブエリア側を内側として上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有していることを特徴とする表示装置。
【請求項６】
上記フィード部における上記蛇行部の存在する範囲は、上記補助容量バスラインが接続される上記ＣＳ幹配線に対向する領域内に収まっていることを特徴とする請求項１から５までのいずれか１項に記載の表示装置。
【請求項７】
上記アクティブエリア側を内側として、各上記ＣＳ幹配線群における最も外側の上記ＣＳ幹配線以外の上記ＣＳ幹配線に接続される各上記補助容量バスラインは、最も外側の上記ＣＳ幹配線に対向する領域まで延びていることを特徴とする請求項１から６までのいずれか１項に記載の表示装置。
【請求項８】
各上記ＣＳ幹配線は上記アクティブエリアに近い側の第１のＣＳ副幹配線および上記アクティブエリアから遠い側の第２のＣＳ副幹配線からなり、上記コンタクトホールは、上記第１のＣＳ副幹配線上に設けられた第１の副コンタクトホールおよび上記第２のＣＳ副幹配線上に設けられた第２の副コンタクトホールからなり、上記第１の副コンタクトホールと上記第２の副コンタクトホールとは接続配線によって互いに接続されていることを特徴とする請求項１から７までのいずれか１項に記載の表示装置。
【請求項９】
上記蛇行部は、上記第１のＣＳ副幹配線に対向する領域上の第１の蛇行部分と、上記第２のＣＳ副幹配線に対向する領域上の第２の蛇行部分とのうちの、少なくとも一方が設けられることにより形成されていることを特徴とする請求項８に記載の表示装置。
【請求項１０】
上記第１の蛇行部分および上記第２の蛇行部分は、上記補助容量バスラインが上記アクティブエリアからの延長線として延びる方向に対して直交する方向に１回以上折り返された状態に形成されることを特徴とする請求項９に記載の表示装置。
【請求項１１】
上記第１のＣＳ副幹配線において、上記第１の蛇行部分は上記第１の副コンタクトホールよりも上記アクティブエリア側の領域に割り当てられ、上記第２のＣＳ副幹配線において、上記第２の蛇行部分は上記第２の副コンタクトホールよりも上記アクティブエリア側の領域に割り当てられることを特徴とする請求項９または１０に記載の表示装置。
【請求項１２】
上記第１の蛇行部分と上記第２の蛇行部分との両方が設けられる上記フィード部において、上記第１の蛇行部分の末端は上記第２の蛇行部分の始端に接続されており、上記第２の蛇行部分の末端は上記第２の副コンタクトホールに接続されていることを特徴とする請求項１１に記載の表示装置。
【請求項１３】
複数の上記補助容量バスラインが上記フィード部に上記蛇行部を備えており、上記アクティブエリア側を内側として、外側の上記ＣＳ幹配線に接続された上記補助容量バスラインの上記フィード部ほど上記第２の蛇行部分が短いことを特徴とする請求項１２に記載の表示装置。
【請求項１４】
上記第１の蛇行部分のみが設けられる上記フィード部において、上記第１の蛇行部分の末端は上記第１の副コンタクトホールに接続されていることを特徴とする請求項１１に記載の表示装置。
【請求項１５】
複数の上記補助容量バスラインが上記フィード部に上記蛇行部を備えており、上記アクティブエリア側を内側として、外側の上記ＣＳ幹配線に接続された上記補助容量バスラインの上記フィード部ほど上記第１の蛇行部分が短いことを特徴とする請求項１４に記載の表示装置。
【請求項１６】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
複数の補助容量バスラインどうしで、上記アクティブエリアから上記各ＣＳ幹配線群の少なくともいずれか１つにおける上記ＣＳ幹配線との接続箇所に至るまでの箇所であるフィード部の配線幅が、互いに異なっていることを特徴とする表示装置。
【請求項１７】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きいことを特徴とする表示装置。
【請求項１８】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
複数の補助容量バスラインどうしで、上記アクティブエリアから上記ＣＳ幹配線群の少なくともいずれか１つにおける上記ＣＳ幹配線との接続箇所に至るまでの箇所であるフィード部の配線幅が、互いに異なっていることを特徴とする表示装置。
【請求項１９】
複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、
上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きいことを特徴とする表示装置。
【請求項２０】
各絵素は複数の副絵素で構成されているとともに、１つの上記絵素の上記副絵素のそれぞれは互いに異なる上記補助容量バスラインとの間で形成された補助容量を有していることを特徴とする請求項１から１９までのいずれか１項に記載の表示装置。
【請求項２１】
上記補助容量電圧は、１つの上記絵素の上記副絵素どうしで、同じレベル変化タイミングおよび同じ周期を有するとともに互いに異なる範囲で振動する２値レベルからなる波形を有していることを特徴とする請求項２０に記載の表示装置。
【請求項２２】
互いに異なる絵素に対応する上記補助容量バスラインに接続されたＣＳ幹配線どうしでは、上記補助容量電圧の上記レベル変化タイミングが異なっていることを特徴とする請求項２１に記載の表示装置。
【請求項２３】
各絵素は、１本の上記補助容量バスラインとの間で形成された補助容量を有していることを特徴とする請求項１から１９までのいずれか１項に記載の表示装置。
【請求項２４】
上記補助容量電圧は、全ての上記補助容量バスラインどうしで同じであることを特徴とする請求項２３に記載の表示装置。
【請求項２５】
液晶表示装置であることを特徴とする請求項１から２４までのいずれか１項に記載の表示装置。
【請求項２６】
上記ＣＳ幹配線はソースメタルによって形成されており、上記補助容量バスラインはゲートメタルによって形成されていることを特徴とする請求項１から２５までのいずれか１項に記載の表示装置。
【発明の詳細な説明】
【技術分野】
【０００１】
本発明は、複数のＣＳ幹配線から補助容量バスラインに補助容量電圧を印加する表示装置に関する。
【背景技術】
【０００２】
γ特性の視角依存性を改善した液晶表示装置として、マルチ絵素駆動方式の液晶表示装置がある。マルチ絵素駆動においては、輝度の異なる２つ以上の副絵素によって１つの絵素を構成することにより、視野角特性すなわちγ特性の視角依存性を改善する。【０００３】
図８に、このようなマルチ絵素駆動方式の液晶表示装置が備える絵素の構成例を示す（例えば特許文献１参照）。【０００４】
１つの絵素Ｐは２つの副絵素ｓｐ１、ｓｐ２に分割されている。副絵素ｓｐ１は、ＴＦＴ１６ａ、副絵素電極１８ａ、および、補助容量２２ａを備えており、副絵素ｓｐ２は、ＴＦＴ１６ｂ、副絵素電極１８ｂ、および、補助容量２２ｂを備えている。【０００５】
ＴＦＴ１６ａおよびＴＦＴ１６ｂのそれぞれのゲ−ト電極は互いに共通のゲートバスラインＧＬに接続され、ソース電極は互いに共通のソースバスラインＳＬに接続されている。補助容量２２ａは副絵素電極１８ａと補助容量バスラインＣｓＬ１との間で形成されており、補助容量２２ｂは副絵素電極１８ｂと補助容量バスラインＣｓＬ２との間で形成されている。補助容量バスラインＣｓＬ１は、上記ゲートバスラインＧＬとの間に副絵素ｓｐ１の領域を挟んでゲートバスラインＧＬと平行に延びるように設けられている。補助容量バスラインＣｓＬ２は、上記ゲートバスラインＧＬとの間に副絵素ｓｐ２の領域を挟んでゲートバスラインＧＬと平行に延びるように設けられている。【０００６】
また、各絵素Ｐの補助容量バスラインＣｓＬ１は、当該補助容量バスラインＣｓＬ１を挟んで当該絵素Ｐに隣接する絵素Ｐの副絵素ｓｐ２が補助容量２２ｂを形成するための補助容量バスラインＣｓＬ２を兼ねており、各絵素Ｐの補助容量バスラインＣｓＬ２は、当該補助容量バスラインＣｓＬ２を挟んで当該絵素Ｐに隣接する絵素Ｐの副絵素ｓｐ１が補助容量２２ａを形成するための補助容量バスラインＣｓＬ１を兼ねている。【０００７】
図９および図１０を用いて、マルチ絵素駆動方式の表示パネルにおける補助容量バスラインＣｓＬ１・ＣｓＬ２の駆動方法を説明する。【０００８】
図９に示すように、表示領域であるアクティブエリアＡＡに交互に配置された補助容量バスラインＣｓＬ（ＣｓＬ１とＣｓＬ２とを区別しないときにＣｓＬと総称する）は、アクティブエリアＡＡに隣接する領域に配置されたＣＳ幹配線ｂｂに接続されている。ＣＳ幹配線ｂｂは複数本で１組のＣＳ幹配線群ＢＢを構成している。このＣＳ幹配線群ＢＢは、アクティブエリアＡＡに対して補助容量バスラインＣｓＬが延びる方向の所定側となる一端側に隣接する領域のみに、すなわち片側の領域のみに１組だけ設けられている、あるいは、アクティブエリアＡＡに対して補助容量バスラインＣｓＬが延びる方向の所定側となる一端側に隣接する領域と他端側に隣接する領域とのそれぞれに、すなわち両側の領域に１組ずつ設けられている。【０００９】
ＣＳ幹配線群ＢＢが片側の領域のみに設けられている場合には、補助容量バスラインＣｓＬの上記所定側の一端はＣＳ幹配線ｂｂに接続されている。ＣＳ幹配線群ＢＢが両側の領域に設けられている場合には、補助容量バスラインＣｓＬの上記所定側の一端は、当該一端側に隣接する領域のＣＳ幹配線ｂｂに接続されており、補助容量バスラインＣｓＬの他端は、当該他端側に隣接する領域のＣＳ幹配線ｂｂに接続されている。ＣＳ幹配線ｂｂは補助容量バスラインＣｓＬ１・ＣｓＬ２の延びる方向に直交する方向、すなわちソースバスラインＳＬの延びる方向に延びている。【００１０】
図９では、１２本のＣＳ幹配線ｂｂ…からなるＣＳ幹配線群ＢＢが両方の領域に設けられた例が示されている。各補助容量バスラインＣｓＬは、各ＣＳ幹配線群ＢＢの１本のＣＳ幹配線ｂｂに接続されている。連続して配置された１２本（ＣＳ幹配線群ＢＢを構成するＣＳ幹配線ｂｂの本数ｎ（ｎは偶数）に等しい）の補助容量バスラインＣｓＬ…は、各ＣＳ幹配線群ＢＢの中の互いに異なるＣＳ幹配線ｂｂに接続されており、この接続関係が補助容量バスライン１２本（すなわちｎ本）ごとに繰り返されている。【００１１】
ＣＳ幹配線群ＢＢが片方の領域にのみ設けられている場合には、連続して配置されたｎ本の補助容量バスラインＣｓＬ…は、当該ＣＳ幹配線群ＢＢの中の互いに異なるＣＳ幹配線ｂｂに接続されており、この接続関係が補助容量バスラインｎ本ごとに繰り返される。【００１２】
そして、ＣＳ幹配線群ＢＢが片方の領域にのみ設けられる場合にも、両方の領域に設けられる場合にも、連続して配置されたｎ本の補助容量バスラインＣｓＬ…のそれぞれには、図１０に示すような個別の補助容量電圧が印加される。補助容量電圧Ｖｃｓ（図ではＶｃｓ１、Ｖｃｓ２、…）は、奇数ラインにある同じ絵素Ｐの副絵素ｓｐ１・ｓｐ２に対応する補助容量バスラインＣｓＬ１・ＣｓＬ２どうしで、同じレベル変化タイミングおよび同じ周期ながら、異なる範囲で振動する２値レベルからなる波形を有している。そして、この対をなす補助容量電圧Ｖｃｓが、奇数ライン間で位相が徐々にずれた状態にｎ／２組だけ設定されている。奇数ラインのゲートパルスＶｇ（図ではＶｇ１、Ｖｇ３、…）は、補助容量電圧Ｖｃｓの一定期間にパルス期間を有するとともに、補助容量電圧Ｖｃｓの立ち上がりまたは立ち下がりのタイミングにパルス期間の終了タイミングを有する。【００１３】
これにより、まず奇数ラインの絵素Ｐにデータ信号が書き込まれ、データ信号の書き込み後における補助容量電圧Ｖｃｓの変化により、同じデータ信号が書き込まれた絵素Ｐの２つの副絵素ｓｐ１・ｓｐ２の絵素電極電位に、ゲートバスラインＧＬと絵素電極との間の容量を介した引き込み（feed through）現象によって異なる電位変位量ΔＶが加算される。従って、当該副絵素ｓｐ１・ｓｐ２どうしで輝度が異なることとなり、補助容量電圧Ｖｃｓの１フレーム期間を通した液晶印加電圧の実効値による平均輝度は、絵素Ｐ全体のγ特性を広い視野角範囲で適正なものとする。【００１４】
奇数ラインの走査の後に偶数ラインの走査が行われ、その際の同じ絵素Ｐに属する副絵素ｓｐ１・ｓｐ２に印加される補助容量電圧Ｖｃｓは奇数ラインのように同じレベル変化タイミングを有するようには対をなしていないが、ゲートパルス終了後の最初の絵素電極の電位変化としては奇数ラインと同様のものが得られるので、やはりγ特性の改善が行われる。【００１５】
上記の補助容量電圧Ｖｃｓの波形および走査の仕方は一例であり、副絵素ｓｐ１・ｓｐ２間で輝度を、互いに異なる補助容量電圧Ｖｃｓの電圧変化によって異ならせて、絵素Ｐ全体のγ特性を改善するところが主要な技術内容である。【００１６】
このような補助容量電圧ＶｃｓはＣＳ幹配線ｂｂを介して供給されるので、各ＣＳ幹配線群ＢＢの異なるＣＳ幹配線ｂｂには異なる補助容量電圧Ｖｃｓが印加されるようになっている。従って、ＣＳ幹配線群ＢＢにはＣＳ幹配線ｂｂの本数分の相数を有する補助容量電圧ＶｃｓがＣＳドライバ（図示せず）から供給される。図１０は１２相の補助容量電圧Ｖｃｓを供給する例を示している。また、図１０のようにアクティブエリアＡＡの両側にＣＳ幹配線群ＢＢが配置される場合には、同じ補助容量バスラインＣｓＬに接続された２つのＣＳ幹配線群ＢＢのＣＳ幹配線ｂｂには同じ補助容量電圧Ｖｃｓが印加される。このようにアクティブエリアＡＡの両側から補助容量電圧Ｖｃｓを供給することで、大きなサイズの液晶画面において、補助容量電圧Ｖｃｓが配線遅延によってアクティブエリアＡＡの異なる場所間で波形が異なることを抑制することができる。
【先行技術文献】
【特許文献】
【００１７】
【特許文献１】特開２００４−６２１４６号公報（２００４年２月２６日公開）
【特許文献２】特開２００７−７２０３３号公報（２００７年３月２２日公開）
【特許文献３】特開２００５−３３８５９５号公報（２００５年１２月８日公開）
【特許文献４】特開平１０−１０５７２号公報（１９９８年１月１６日公開）
【特許文献５】特開平７−３２５３１７号公報（１９９５年１２月１２日公開）
【発明の概要】
【発明が解決しようとする課題】
【００１８】
しかしながら、従来のＣＳ幹配線ｂｂを用いたマルチ絵素駆動方式の液晶表示装置では、図１１に示すように、１つのＣＳ幹配線群ＢＢが複数のＣＳ幹配線ｂｂ…を備えているので、アクティブエリアＡＡから各ＣＳ幹配線ｂｂ…までの距離ｄが互いに異なっている。ＣＳ幹配線ｂｂには例えばソースメタルが、補助容量バスラインＣｓＬには例えばゲートメタルが用いられるといったように、ＣＳ幹配線ｂｂと補助容量バスラインＣｓＬとは互いに異なるレイヤーのメタル層を用いて構成されている。そして、補助容量バスラインＣｓＬは、ＣＳ幹配線群ＢＢ上の絶縁膜で隔てられた領域を横切り、対応するＣＳ幹配線ｂｂに、当該絶縁膜中に設けられたコンタクトホール１５０を介して接続されている。【００１９】
従って、アクティブエリアＡＡから遠いＣＳ幹配線ｂｂに接続された補助容量バスラインＣｓＬほど、アクティブエリアＡＡからＣＳ幹配線ｂｂとの接続箇所（コンタクトホール１５０）までの距離ｄを表すフィード部Ｆの長さが大きくなり、それだけ配線抵抗が大きくなる。ＣＳ幹配線は１２本といった程度の少ない本数であるが、補助容量バスラインＣｓＬは例えば千オーダーの非常に多い本数であるので、補助容量バスラインＣｓＬはＣＳ幹配線ｂｂよりも配線幅を非常に小さくせざるを得ない。【００２０】
そして、補助容量バスラインＣｓＬに印加されている補助容量電圧Ｖｃｓは、絵素電極電位の影響を受けて変動するので、上記のようにフィード部Ｆの長さに差があると、変動した補助容量電圧Ｖｃｓのリップル電圧の、補助容量バスラインＣｓＬ上のアクティブエリアＡＡ端部における減衰量に、補助容量バスラインＣｓＬ間で差が生じることとなる。図１２に、このリップル電圧の減衰の差を示す。実線で示す波形１０１は、外側のＣＳ幹配線ｂｂに接続されたフィード部Ｆを有する補助容量バスラインＣｓＬ、すなわちアクティブエリアＡＡからＣＳ幹配線ｂｂまでの距離ｄが大きいフィード部Ｆを有する補助容量バスラインＣｓＬの、当該フィード部Ｆ側のアクティブエリアＡＡ端部における補助容量電圧Ｖｃｓの波形を示す。破線で示す波形１０２は、内側のＣＳ幹配線ｂｂに接続されたフィード部Ｆを有する補助容量バスラインＣｓＬ、すなわちアクティブエリアＡＡからＣＳ幹配線ｂｂまでの距離ｄが小さいフィード部Ｆを有する補助容量バスラインＣｓＬの、当該フィード部Ｆ側のアクティブエリアＡＡ端部における補助容量電圧Ｖｃｓの波形を示す。波形１０１におけるリップル電圧は波形１０２におけるリップル電圧よりも大きい。【００２１】
このように補助容量バスラインＣｓＬによって補助容量電圧Ｖｃｓのリップル電圧の大きさが異なっていると、図９に示すように、アクティブエリアＡＡ端部でのリップル電圧が補助容量バスラインＣｓＬの配置に応じて分布を有することとなる。この結果、アクティブエリアＡＡ端部付近の副絵素ｓｐ１・ｓｐ２の各輝度、従って絵素Ｐの輝度に分布が生じてしまい、画面に横筋が視認されるなどの問題が生じていた。【００２２】
本発明は、上記従来の問題点に鑑みなされたものであり、その目的は、アクティブエリア端部での補助容量電圧のリップル電圧が分布を生じにくい表示装置を実現することにある。
【課題を解決するための手段】
【００２３】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、少なくとも１つの補助容量バスラインは、上記アクティブエリアから上記各ＣＳ幹配線群の少なくとも１つにおける上記ＣＳ幹配線との接続箇所に至るまでの箇所であるフィード部に、上記アクティブエリアから上記接続箇所への上記補助容量バスラインの延長線上から逸れて引き回される部分である蛇行部を備えていることを特徴としている。【００２４】
上記の発明によれば、蛇行部の配線全長を調整することにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００２５】
以上により、アクティブエリア端部での補助容量電圧のリップル電圧が分布を生じにくい表示装置を実現することができるという効果を奏する。【００２６】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、上記アクティブエリア側を内側として各上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有していることを特徴としている。【００２７】
上記の発明によれば、蛇行部の配線全長を上記のようにフィード部間で異ならせることにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００２８】
以上により、アクティブエリア端部での補助容量電圧のリップル電圧が分布を生じにくい表示装置を実現することができるという効果を奏する。【００２９】
本発明の表示装置は、上記課題を解決するために、上記アクティブエリアから上記接続箇所までの上記距離と、上記蛇行部の上記配線全長との対応関係は、上記一方側に隣接する領域に設けられた上記ＣＳ幹配線群と上記他方側に隣接する領域に設けられた上記ＣＳ幹配線群とで互いに同じであることを特徴としている。【００３０】
上記の発明によれば、この蛇行部の配線全長をＣＳ幹配線群どうしで同じ設定にすることにより、補助容量バスラインのフィード部の抵抗値をＣＳ幹配線群どうしで揃えることができるという効果を奏する。【００３１】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、少なくとも１つの補助容量バスラインは、上記アクティブエリアから上記ＣＳ幹配線群における上記ＣＳ幹配線との接続箇所に至るまでの箇所であるフィード部に、上記アクティブエリアから上記接続箇所への上記補助容量バスラインの延長線上から逸れて引き回される部分である蛇行部を備えていることを特徴としている。【００３２】
上記の発明によれば、蛇行部の配線全長を調整することにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００３３】
以上により、アクティブエリア端部での補助容量電圧のリップル電圧が分布を生じにくい表示装置を実現することができるという効果を奏する。【００３４】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、上記アクティブエリア側を内側として上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有していることを特徴としている。【００３５】
上記の発明によれば、蛇行部の配線全長を上記のようにフィード部間で異ならせることにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに片側から補助容量電圧を印加する表示装置において、アクティブエリア端部付近の絵素の輝度に分布が生じて画面に横筋が視認されるなどの問題が発生することを回避することができる。【００３６】
以上により、アクティブエリア端部での補助容量電圧のリップル電圧が分布を生じにくい表示装置を実現することができるという効果を奏する。【００３７】
本発明の表示装置は、上記課題を解決するために、上記フィード部における上記蛇行部の存在する範囲は、上記補助容量バスラインが接続される上記ＣＳ幹配線に対向する領域内に収まっていることを特徴としている。【００３８】
上記の発明によれば、蛇行部と当該ＣＳ幹配線とがほぼ同電位になることにより、蛇行部と当該ＣＳ幹配線との間に形成される容量が機能しない。従って、それだけ補助容量バスラインの配線遅延を抑制することができるという効果を奏する。【００３９】
本発明の表示装置は、上記課題を解決するために、上記アクティブエリア側を内側として、各上記ＣＳ幹配線群における最も外側の上記ＣＳ幹配線以外の上記ＣＳ幹配線に接続される各上記補助容量バスラインは、最も外側の上記ＣＳ幹配線に対向する領域まで延びていることを特徴としている。【００４０】
上記の発明によれば、各補助容量バスラインの、当該補助容量バスラインと接続されない他の全てのＣＳ幹配線との間で形成される容量を、全ての補助容量バスラインどうしで揃えることができる。従って、補助容量バスラインの配線遅延を全ての補助容量バスラインどうしで揃えることができ、絵素の輝度をよりいっそう均一に揃えることができるという効果を奏する。【００４１】
本発明の表示装置は、上記課題を解決するために、各上記ＣＳ幹配線は上記アクティブエリアに近い側の第１のＣＳ副幹配線および上記アクティブエリアから遠い側の第２のＣＳ副幹配線からなり、上記コンタクトホールは、上記第１のＣＳ副幹配線上に設けられた第１の副コンタクトホールおよび上記第２のＣＳ副幹配線上に設けられた第２の副コンタクトホールからなり、上記第１の副コンタクトホールと上記第２の副コンタクトホールとは接続配線によって互いに接続されていることを特徴としている。【００４２】
上記の発明によれば、ＣＳ幹配線が２本のＣＳ副幹配線からなるとともに、２本のＣＳ副幹配線が接続配線によって互いに接続されているので、ＣＳ副幹配線のうちの一方が断線しても他方を介して補助容量電圧を伝達することができ、ＣＳ幹配線全体の断線を回避することができるという効果を奏する。【００４３】
本発明の表示装置は、上記課題を解決するために、上記蛇行部は、上記第１のＣＳ副幹配線に対向する領域上の第１の蛇行部分と、上記第２のＣＳ副幹配線に対向する領域上の第２の蛇行部分とのうちの、少なくとも一方が設けられることにより形成されていることを特徴としている。【００４４】
上記の発明によれば、第１の蛇行部分と第２の蛇行部分との一方あるいは両方を設けるかということと、それぞれの蛇行長さを調節することとにより、蛇行部の配線全長を容易に調節することができるという効果を奏する。【００４５】
本発明の表示装置は、上記課題を解決するために、上記第１の蛇行部分および上記第２の蛇行部分は、上記補助容量バスラインが上記アクティブエリアからの延長線として延びる方向に対して直交する方向に１回以上折り返された状態に形成されることを特徴としている。【００４６】
上記の発明によれば、蛇行部分の蛇行長さを、蛇行振幅の長さおよび回数によって容易に調節することができるという効果を奏する。【００４７】
本発明の表示装置は、上記課題を解決するために、上記第１のＣＳ副幹配線において、上記第１の蛇行部分は上記第１の副コンタクトホールよりも上記アクティブエリア側の領域に割り当てられ、上記第２のＣＳ副幹配線において、上記第２の蛇行部分は上記第２の副コンタクトホールよりも上記アクティブエリア側の領域に割り当てられることを特徴としている。【００４８】
上記の発明によれば、蛇行部分の蛇行長さを、副コンタクトホールに接続される手前の領域で常に調節することができるので、蛇行部の領域と副コンタクトホールとの位置関係を固定することができるという効果を奏する。【００４９】
本発明の表示装置は、上記課題を解決するために、上記第１の蛇行部分と上記第２の蛇行部分との両方が設けられる上記フィード部において、上記第１の蛇行部分の末端は上記第２の蛇行部分の始端に接続されており、上記第２の蛇行部分の末端は上記第２の副コンタクトホールに接続されていることを特徴としている。【００５０】
上記の発明によれば、蛇行部の配線全長が第１の蛇行部分と第２の蛇行部分との両方の和の長さとなるようにして、最も近い副コンタクトホールに接続するので、蛇行部の配線全長を大きく変化させることができるという効果を奏する。【００５１】
本発明の表示装置は、上記課題を解決するために、複数の上記補助容量バスラインが上記フィード部に上記蛇行部を備えており、上記アクティブエリア側を内側として、外側の上記ＣＳ幹配線に接続された上記補助容量バスラインの上記フィード部ほど上記第２の蛇行部分が短いことを特徴としている。【００５２】
上記の発明によれば、第１の蛇行部分の蛇行長さを固定したまま、蛇行部の配線全長を徐々に短くすることができるという効果を奏する。【００５３】
本発明の表示装置は、上記課題を解決するために、上記第１の蛇行部分のみが設けられる上記フィード部において、上記第１の蛇行部分の末端は上記第１の副コンタクトホールに接続されていることを特徴としている。【００５４】
上記の発明によれば、第２の蛇行部分を設けないで第１の蛇行部分を第１の副コンタクトホールに接続することにより、配線全長の短い蛇行部を容易に形成することができるという効果を奏する。【００５５】
本発明の表示装置は、上記課題を解決するために、複数の上記補助容量バスラインが上記フィード部に上記蛇行部を備えており、上記アクティブエリア側を内側として、外側の上記ＣＳ幹配線に接続された上記補助容量バスラインの上記フィード部ほど上記第１の蛇行部分が短いことを特徴としている。【００５６】
上記の発明によれば、蛇行部の配線全長を徐々に短くすることができるという効果を奏する。【００５７】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、複数の補助容量バスラインどうしで、上記アクティブエリアから上記各ＣＳ幹配線群の少なくともいずれか１つにおける上記ＣＳ幹配線との接続箇所に至るまでの箇所であるフィード部の配線幅が、互いに異なっていることを特徴としている。【００５８】
上記の発明によれば、フィード部の配線幅をフィード部間で調整することにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００５９】
以上により、アクティブエリア端部での補助容量電圧のリップル電圧が分布を生じにくい表示装置を実現することができるという効果を奏する。【００６０】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されているとともに、上記複数の補助容量バスラインの他端が、上記アクティブエリアに対して上記補助容量バスラインの延びる方向の上記他端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きいことを特徴としている。【００６１】
上記の発明によれば、フィード部の配線幅を上記のようにフィード部間で異ならせることにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００６２】
以上により、アクティブエリア端部での補助容量電圧のリップル電圧が分布を生じにくい表示装置を実現することができるという効果を奏する。【００６３】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群の少なくともいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、複数の補助容量バスラインどうしで、上記アクティブエリアから上記ＣＳ幹配線群の少なくともいずれか１つにおける上記ＣＳ幹配線との接続箇所に至るまでの箇所であるフィード部の配線幅が、互いに異なっていることを特徴としている。【００６４】
上記の発明によれば、フィード部の配線幅をフィード部間で調整することにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに両端側から補助容量電圧を印加する表示装置、特に大画面の表示装置において、アクティブエリア端部付近の絵素の輝度に分布が生じて画面に横筋が視認されるなどの問題が発生することを回避することができる。【００６５】
以上により、アクティブエリア端部での補助容量電圧のリップル電圧が分布を生じにくい表示装置を実現することができるという効果を奏する。【００６６】
本発明の表示装置は、上記課題を解決するために、複数の補助容量バスラインの所定側の一端が、表示部のアクティブエリアに対して上記補助容量バスラインの延びる方向の上記一端側に隣接する領域に上記補助容量バスラインの延びる方向と直交する方向に延びるように設けられたＣＳ幹配線群のいずれか１つのＣＳ幹配線に、コンタクトホールを介してそれぞれ接続されており、上記補助容量バスラインのそれぞれは接続された上記ＣＳ幹配線を介して補助容量電圧を印加される、アクティブマトリクス型の表示装置において、上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きいことを特徴としている。【００６７】
上記の発明によれば、フィード部の配線幅を上記のようにフィード部間で異ならせることにより、フィード部の補助容量バスラインの配線抵抗値を、同じＣＳ幹配線群に属する全てのＣＳ幹配線どうしの間で揃える、あるいは近くすることができる。従って、アクティブエリア端部での補助容量電圧のリップル電圧が補助容量バスラインどうしで揃う、あるいは近くなる。この結果、アクティブエリアに片側から補助容量電圧を印加する表示装置において、アクティブエリア端部付近の絵素の輝度に分布が生じて画面に横筋が視認されるなどの問題が発生することを回避することができる。【００６８】
以上により、アクティブエリア端部での補助容量電圧のリップル電圧が分布を生じにくい表示装置を実現することができるという効果を奏する。【００６９】
本発明の表示装置は、上記課題を解決するために、各絵素は複数の副絵素で構成されているとともに、１つの上記絵素の上記副絵素のそれぞれは互いに異なる上記補助容量バスラインとの間で形成された補助容量を有していることを特徴としている。【００７０】
上記の発明によれば、マルチ絵素駆動方式の表示装置において、アクティブエリア端部付近の絵素の輝度に分布が生じにくいようにすることができるという効果を奏する。【００７１】
本発明の表示装置は、上記課題を解決するために、上記補助容量電圧は、１つの上記絵素の上記副絵素どうしで、同じレベル変化タイミングおよび同じ周期を有するとともに互いに異なる範囲で振動する２値レベルからなる波形を有していることを特徴としている。【００７２】
上記の発明によれば、マルチ絵素駆動方式の表示装置において、各絵素の副絵素に与える輝度差を正確に設定することができるという効果を奏する。【００７３】
本発明の表示装置は、上記課題を解決するために、互いに異なる絵素に対応する上記補助容量バスラインに接続されたＣＳ幹配線どうしでは、上記補助容量電圧の上記レベル変化タイミングが異なっていることを特徴としている。【００７４】
上記の発明によれば、マルチ絵素駆動方式の表示装置において、絵素行の走査順に各絵素の副絵素に輝度差を与えることができるという効果を奏する。【００７５】
本発明の表示装置は、上記課題を解決するために、各絵素は、１本の上記補助容量バスラインとの間で形成された補助容量を有していることを特徴としている。【００７６】
上記の発明によれば、マルチ絵素駆動を行わない表示装置において、補助容量バスラインどうしで配線抵抗を備えることができるという効果を奏する。【００７７】
本発明の表示装置は、上記課題を解決するために、上記補助容量電圧は、全ての上記補助容量バスラインどうしで同じであることを特徴としている。【００７８】
上記の発明によれば、複数のＣＳ幹配線を用いて、全ての補助容量バスラインに同じ電圧を印加することができるという効果を奏する。【００７９】
本発明の表示装置は、上記課題を解決するために、液晶表示装置であることを特徴としている。【００８０】
上記の発明によれば、輝度分布のない液晶表示装置を実現することができるという効果を奏する。【００８１】
本発明の表示装置は、上記課題を解決するために、上記ＣＳ幹配線はソースメタルによって形成されており、上記補助容量バスラインはゲートメタルによって形成されていることを特徴としている。【００８２】
上記の発明によれば、既存の材料を用いてＣＳ幹配線および補助容量バスラインを形成することができるという効果を奏する。
【発明の効果】
【００８３】
本発明の表示装置は、以上のように、少なくとも１つの補助容量バスラインは、上記アクティブエリアから上記各ＣＳ幹配線群の少なくとも１つにおける上記ＣＳ幹配線との接続箇所に至るまでの箇所であるフィード部に、上記アクティブエリアから上記接続箇所への上記補助容量バスラインの延長線上から逸れて引き回される部分である蛇行部を備えている。【００８４】
本発明の表示装置は、以上のように、上記アクティブエリア側を内側として各上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有している。【００８５】
本発明の表示装置は、以上のように、少なくとも１つの補助容量バスラインは、上記アクティブエリアから上記ＣＳ幹配線群における上記ＣＳ幹配線との接続箇所に至るまでの箇所であるフィード部に、上記アクティブエリアから上記接続箇所への上記補助容量バスラインの延長線上から逸れて引き回される部分である蛇行部を備えている。【００８６】
本発明の表示装置は、以上のように、上記アクティブエリア側を内側として上記ＣＳ幹配線群における、少なくとも、最も外側のＣＳ幹配線を除くＣＳ幹配線に接続された補助容量バスラインは、上記アクティブエリアから上記ＣＳ幹配線との接続箇所に至るまでの箇所であるフィード部に、上記アクティブエリアから上記接続箇所への上記補助容量バスラインの延長線上から逸れて引き回される部分である蛇行部を備え、上記蛇行部は上記アクティブエリアから上記接続箇所までの距離が小さいほど大きな配線全長を有している。【００８７】
本発明の表示装置は、以上のように、複数の補助容量バスラインどうしで、上記アクティブエリアから上記各ＣＳ幹配線群の少なくともいずれか１つにおける上記ＣＳ幹配線との接続箇所に至るまでの箇所であるフィード部の配線幅が、互いに異なっている。【００８８】
本発明の表示装置は、以上のように、上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きいことを特徴としている。【００８９】
本発明の表示装置は、以上のように、複数の補助容量バスラインどうしで、上記アクティブエリアから上記ＣＳ幹配線群の少なくともいずれか１つにおける上記ＣＳ幹配線との接続箇所に至るまでの箇所であるフィード部の配線幅が、互いに異なっている。【００９０】
本発明の表示装置は、以上のように、上記アクティブエリア側を内側として各上記ＣＳ幹配線群における、少なくとも、最も内側のＣＳ幹配線を除くＣＳ幹配線に接続された補助容量バスラインは、上記アクティブエリアから上記ＣＳ幹配線との接続箇所に至るまでの箇所であるフィード部の配線幅が、上記アクティブエリアから上記接続箇所までの距離が大きいほど大きい。【００９１】
以上により、アクティブエリア端部での補助容量電圧のリップル電圧が分布を生じにくい表示装置を実現することができるという効果を奏する。
【図面の簡単な説明】
【００９２】
【図１】本発明の実施形態を示すものであり、補助容量バスラインおよびＣＳ幹配線の構成を示す平面図である。
【図２】補助容量バスラインおよびＣＳ幹配線の配置を示す平面図である。
【図３】フィード部の構成例を示す平面図である。
【図４】各ＣＳ幹配線に対応するフィード部の構成例を示す平面図であり、（ａ）〜（ｌ）はそれぞれ異なるＣＳ幹配線を示す。
【図５】補助容量電圧のリップル電圧の波形を示す波形図である。
【図６】本発明の他の実施形態を示すものであり、補助容量バスラインおよびＣＳ幹配線の構成を示す平面図である。
【図７】表示装置の構成を示すブロック図である。
【図８】マルチ絵素駆動方式の絵素の構成を示す回路図である。
【図９】従来技術を示すものであり、補助容量バスラインおよびＣＳ幹配線の配置を示す平面図である。
【図１０】図８の絵素に供給する補助容量電圧の波形例を示す波形図である。
【図１１】補助容量バスラインおよびＣＳ幹配線の構成を示す平面図である。
【図１２】図９における補助容量電圧のリップル電圧の波形を示す波形図である。
【発明を実施するための形態】
【００９３】
本発明の一実施形態について図１ないし図７に基づいて説明すると以下の通りである。
【００９４】
図７に、本実施形態に係る液晶表示装置（表示装置）１の構成を示す。同図に示されるように、液晶表示装置１は、表示部２と、ソースドライバ３と、ゲートドライバ４と、表示制御回路５と、Ｃｓ制御回路６・７とを備えている。なお、これらは１つのパネル上に実装されていてもよいし、ソースドライバ３と、ゲートドライバ４と、表示制御回路５と、Ｃｓ制御回路６・７との一部または全部がフレキシブルプリント基板などの外部基板に搭載されて、表示部２を備えたパネルに接続された構成でもよく、任意の配置が可能である。
【００９５】
表示部２は、図８で説明した副絵素ｓｐ１・ｓｐ２からなる絵素Ｐがマトリクス状に配置された領域であるアクティブエリアＡＡと、複数のゲートバスラインＧＬ…と、複数のソースバスラインＳＬ…と、複数の補助容量バスラインＣｓＬ１…・ＣｓＬ２…と、２つのＣＳ幹配線群ＢＢ１・ＢＢ２とを備えている。図８と同様に、ゲートバスラインＧＬとソースバスラインＳＬ…とは、互いに交差するように設けられて絵素Ｐに接続されており、補助容量バスラインＣｓＬ１・ＣｓＬ２は副絵素ｓｐ１・ｓｐ２に接続されている。ＣＳ幹配線群ＢＢ１はアクティブエリアＡＡに対して、補助容量バスラインＣｓＬ（ＣｓＬ１とＣｓＬ２との総称）の延びる方向のうちの一方側に隣接する領域に設けられている。ＣＳ幹配線群ＢＢ２はアクティブエリアＡＡに対して、補助容量バスラインＣｓＬの延びる方向のうちの他方側に隣接する領域に設けられている。補助容量バスラインＣｓＬはＣＳ幹配線群ＢＢ１・ＢＢ２に接続されている。
【００９６】
表示制御回路５は、ソースドライバ３、ゲートドライバ４、および、Ｃｓ制御回路６・７を制御する。表示制御回路５は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路５は、受け取ったこれらの信号Ｄｖ，ＨＳＹ，ＶＳＹ，Ｄｃに基づき、そのデジタルビデオ信号Ｄｖの表す画像を表示部２に表示させるための信号として、データスタートパルス信号ＳＳＰと、データクロック信号ＳＣＫと、ラッチストローブ信号ＬＳと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成し、これらを出力する。
【００９７】
より詳しくは、ビデオ信号Ｄｖを内部メモリで必要に応じてタイミング調整等を行った後に、デジタル画像信号ＤＡとして表示制御回路５から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきラッチストローブ信号ＬＳ、ならびにゲートドライバ出力制御信号ＧＯＥを生成する。
【００９８】
上記のようにして表示制御回路において生成された信号のうち、デジタル画像信号ＤＡ、ラッチストローブ信号ＬＳ、信号電位（データ信号電位）の極性を制御する信号ＰＯＬ、データスタートパルス信号ＳＳＰ、およびデータクロック信号ＳＣＫは、ソースドライバ３に入力され、ゲートスタートパルス信号ＧＳＰとゲートクロック信号ＧＣＫとゲートドライバ出力制御信号ＧＯＥとは、ゲートドライバ４に入力される。
【００９９】
ソースドライバ３は、デジタル画像信号ＤＡ、データクロック信号ＳＣＫ、ラッチストローブ信号ＬＳ、データスタートパルス信号ＳＳＰ、および極性反転信号ＰＯＬに基づき、デジタル画像信号ＤＡの表す画像の各走査信号線における画素値に相当するアナログ電位としてのデータ信号を１水平走査期間毎に順次生成し、これらのデータ信号をソースバスラインＳＬに出力する。
【０１００】
ゲートドライバ４は、ゲートスタートパルス信号ＧＳＰおよびゲートクロック信号ＧＣＫと、ゲートドライバ出力制御信号ＧＯＥとに基づき、走査信号を生成し、これらをゲートバスラインＧＬに出力し、これによってゲートバスラインＧＬを選択的に駆動する。
【０１０１】
上記のようにソースドライバ３およびゲートドライバ４により表示部２のソースバスラインＳＬ…およびゲートバスラインＧＬ…が駆動されることで、選択されたゲートバスラインＧＬに接続されたＴＦＴを介して、ソースバスラインＳＬから副絵素電極に信号電位が書き込まれる。これにより各絵素が備える副絵素の液晶層にデジタル画像信号ＤＡに応じた電圧が印加され、その電圧印加によってバックライトからの光の透過量が制御され、デジタルビデオ信号Ｄｖの示す画像が絵素に表示される。
【０１０２】
Ｃｓ制御回路６・７は、表示制御回路５から出力されるゲートスタートパルス信号ＧＳＰ、ゲートクロック信号ＧＣＫに基づいて、補助容量バスラインＣｓＬの電位を制御するための補助容量電圧Ｖｃｓの位相および周期等を制御する回路である。Ｃｓ制御回路６は補助容量電圧ＶｃｓをＣＳ幹配線群ＢＢ１に出力し、Ｃｓ制御回路７は補助容量電圧ＶｃｓをＣＳ幹配線群ＢＢ２に出力する。
【０１０３】
次に、図１および図２に、補助容量バスラインＣｓＬおよびＣＳ幹配線ｂｂの配線形態を示す。
【０１０４】
ＣＳ幹配線ｂｂについては、図９および図１１を用いて説明した通りである。図２のＣＳ幹配線群ＢＢ１・ＢＢ２のそれぞれは、図９のＣＳ幹配線群ＢＢに相当しており、図１のコンタクトホール３５は図１１のコンタクトホール１５０に相当している。ＣＳ幹配線群は、ＣＳ幹配線群ＢＢ１とＣＳ幹配線群ＢＢ２とのうちのいずれか一方だけでもよいが、２つのＣＳ幹配線群ＢＢ１・ＢＢ２がアクティブエリアＡＡの両側から補助容量電圧Ｖｃｓを供給することにより、充放電電流の大きい補助容量バスラインＣｓＬの抵抗および容量による配線遅延が場所によって異なることを抑制することができる。また、Ｃｓ制御回路６・７によるＣＳ幹配線群ＢＢ１とＣＳ幹配線群ＢＢ２の各ＣＳ幹配線ｂｂの駆動方法は、図１０を用いて説明したものと同様である。
【０１０５】
本実施形態では、図１に示すように、アクティブエリアＡＡ側を内側として各ＣＳ幹配線群ＢＢにおける、少なくとも、最も外側のＣＳ幹配線ｂｂを除くＣＳ幹配線ｂｂに接続された補助容量バスラインＣｓＬは、アクティブエリアＡＡからＣＳ幹配線ｂｂとの接続箇所（コンタクトホール３５）に至るまでの箇所であるフィード部Ｆに、アクティブエリアＡＡから上記接続箇所までの距離ｄに応じた蛇行部４１（図中斜線を施して示す）を備えている。距離ｄは、通常はフィード部ＦをアクティブエリアＡＡからの補助容量バスラインＣｓＬの延長線によって上記接続箇所まで延ばした場合の配線長に等しいと見なせる。蛇行部４１の蛇行は、アクティブエリアＡＡから上記接続箇所への補助容量バスラインＣｓＬの延長線上から逸れて引き回される部分を指す。蛇行部４１の配線全長Ｄは、フィード部Ｆにおける補助容量バスラインＣｓＬの全長から距離ｄを差し引いて求められる。Ｄがゼロよりも大きければ蛇行部４１が存在することが分かる。補助容量バスラインＣｓＬの配線幅が均一であって補助容量バスラインＣｓＬどうしで同じならば、蛇行部４１の配線全長Ｄは、距離ｄが小さいほど大きい。また、全体的な配線容量の調整を兼ねる目的など任意の目的で、最も外側のＣＳ幹配線ｂｂに接続された補助容量配線ＣｓＬのフィード部Ｆにも蛇行部４１が備えられていてよい。また、全体的な配線容量の調整などの任意の目的で、上記接続箇所より外側の領域で蛇行するような構成も考えられる。
【０１０６】
これにより、フィード部Ｆの補助容量バスラインＣｓＬの配線抵抗値を、ＣＳ幹配線群ＢＢに属する全てのＣＳ幹配線ｂｂどうしの間で揃える、あるいは近くすることができる。この蛇行部４１の配線全長Ｄは、ＣＳ幹配線群ＢＢ１とＣＳ幹配線群ＢＢ２とで必ずしも同じ設定にする必要はないが、同じ設定にして、アクティブエリアＡＡからＣＳ幹配線ｂｂとの接続箇所に至るまでの補助容量バスラインＣｓＬの部分の抵抗値が、ＣＳ幹配線群ＢＢ１とＣＳ幹配線群ＢＢ２との間でも揃うほうが好ましい。
【０１０７】
以上の構成により、アクティブエリアＡＡ端部での補助容量電圧Ｖｃｓのリップル電圧が補助容量バスラインＣｓＬどうしで揃う、あるいは近くなる。この結果、アクティブエリアＡＡ端部付近の副絵素ｓｐ１・ｓｐ２の各輝度、従って絵素Ｐの輝度に分布が生じて画面に横筋が視認されるなどの問題が発生することを回避することができる。
【０１０８】
また、蛇行部４１の存在する範囲を、補助容量バスラインＣｓＬが接続されるＣＳ幹配線ｂｂに対向する領域内に収めるようにすれば、蛇行部４１と当該ＣＳ幹配線ｂｂとがほぼ同電位になることにより、蛇行部４１と当該ＣＳ幹配線ｂｂとの間に形成される容量が機能しない。従って、それだけ補助容量バスラインＣｓＬの配線遅延を抑制することができる。
【０１０９】
また、図１に示すように、最も外側のＣＳ幹配線ｂｂ以外のＣＳ幹配線ｂｂに接続される各補助容量バスラインＣｓＬを、最も外側のＣＳ幹配線ｂｂに対向する領域まで延長して延ばすことにより、接続されない他の全てのＣＳ幹配線ｂｂとの間で形成される容量を全ての補助容量バスラインＣｓＬどうしで揃えることができる。従って、補助容量バスラインＣｓＬの配線遅延を全ての補助容量バスラインＣｓＬどうしで揃えることができ、絵素Ｐの輝度をよりいっそう均一に揃えることができる。
【０１１０】
図３に、蛇行部４１の形成についての詳細な実施例を示す。
【０１１１】
図３では、ＣＳ幹配線ｂｂとして、アクティブエリアＡＡに近い側から順に、ＣＳ幹配線ｂｂ１からＣＳ幹配線ｂｂ１２までが設けられている。また、各ＣＳ幹配線ｂｂは、互いに隣接するように並行配置された２本のＣＳ副幹配線ｂｂｘ・ｂｂｙからなっており、同じＣＳ幹配線ｂｂのＣＳ副幹配線ｂｂｘ・ｂｂｙのそれぞれには互いに同じ補助容量電圧Ｖｃｓが印加される。ＣＳ副幹配線（第１のＣＳ副幹配線）ｂｂｘはアクティブエリアＡＡから近い側のＣＳ副幹配線であり、ＣＳ副幹配線（第２のＣＳ副幹配線）ｂｂｙはアクティブエリアＡＡから遠い側のＣＳ副幹配線である。
【０１１２】
また、各ＣＳ幹配線ｂｂに対応するコンタクトホール３５は、ＣＳ副幹配線ｂｂｙに対応して設けられた副コンタクトホール（第２の副コンタクトホール）３５ａと、ＣＳ副幹配線ｂｂｘに対応して設けられた副コンタクトホール（第１の副コンタクトホール）３５ｂとから構成されており、対をなすＣＳ副幹配線ｂｂｘ・ｂｂｙどうしは、副コンタクトホール３５ａと副コンタクトホール３５ｂとを介して接続配線３５Ｌによって互いに接続されている。接続配線３５Ｌは補助容量バスラインＣｓＬと同じゲートメタルで形成されている。
【０１１３】
ＣＳ幹配線ｂｂが２本のＣＳ副幹配線ｂｂｘ・ｂｂｙからなるとともに、これらが接続配線３５Ｌによって互いに接続されているので、ＣＳ副幹配線ｂｂｘ・ｂｂｙのうちの一方が断線しても他方を介して補助容量電圧Ｖｃｓを伝達することができるので、ＣＳ幹配線ｂｂ全体の断線を回避することができる。
【０１１４】
蛇行部４１は、ＣＳ副幹配線ｂｂｘに対向する領域に設けられることが可能な蛇行部分（第１の蛇行部分）４１ａと、ＣＳ副幹配線ｂｂｙに対向する領域に設けられることが可能な蛇行部分（第２の蛇行部分）４１ｂとのうち、必要となる蛇行長さが設定された少なくとも一方の蛇行部分が設けられることにより、形成されている。蛇行部分４１ａ・４１ｂは、補助容量バスラインＣｓＬがアクティブエリアＡＡからの延長線として延びる方向に対して直交する方向に１回以上折り返された状態に形成されている。ＣＳ副幹配線ｂｂｘにおいて、蛇行部分４１ａは副コンタクトホール３５ｂよりもアクティブエリアＡＡ側の領域に割り当てられており、ＣＳ副幹配線ｂｂｙにおいて、蛇行部分４１ｂは副コンタクトホール３５ａよりもアクティブエリアＡＡ側の領域に割り当てられている。
【０１１５】
ＣＳ幹配線ｂｂ１・ｂｂ２に対応して示されているような、蛇行部分４１ａと蛇行部分４１ｂとの両方が設けられるフィード部Ｆにおいては、蛇行部分４１ａの末端は蛇行部分４１ｂの始端に接続されているとともに、蛇行部分４１ｂの末端は副コンタクトホール３５ａに接続されており、外側のＣＳ幹配線ｂｂに移行するにつれて蛇行部分４１ｂが短くなる。ＣＳ幹配線ｂｂ１１に対応して示されているような、蛇行部４１として蛇行部分４１ａのみが設けられるフィード部Ｆにおいては、蛇行部分４１ａの末端は副コンタクトホール３５ｂに接続されており、外側のＣＳ幹配線ｂｂに移行するにつれて蛇行部分４１ａが短くなる。最も外側のＣＳ幹配線ｂｂ１２に対応して示されているような、蛇行部４１が形成されないフィード部Ｆにおいては、フィード部Ｆが、徐々に幅の広がる電極４５を介して副コンタクトホール３５ｂに接続されている。なお、電極４５は、補助容量バスラインＣｓＬの配線抵抗を下げるように寄与するので、配線抵抗を下げたい場合に適宜挿入すればよいものである。
【０１１６】
上記のようにコンタクトホール３５が複数の副コンタクトホール３５ａ・３５ｂからなる場合には、アクティブエリアＡＡから最も遠い副コンタクトホール３５ａの最も遠い端部までの距離を、アクティブエリアＡＡから補助容量配線ＣｓＬとＣＳ幹配線ｂｂとの接続箇所までの距離ｄとすれば、フィード部Ｆが距離ｄの範囲内に含まれるとともに、蛇行部４１の算出される配線全長Ｄの大小関係が、実際の配線全長Ｄの大小関係に整合する。
【０１１７】
図４の（ａ）〜（ｉ）に、順にＣＳ幹配線ｂｂ１〜ｂｂ１２に対応する蛇行部４１の構成例を示す。
【０１１８】
図４の（ａ）〜（ｆ）は蛇行部分４１ａと蛇行部分４１ｂとの両方が設けられており、蛇行部分４１ｂの蛇行長さが次第に短くなる。蛇行長さは、蛇行振幅の長さおよび回数によって調節可能である。副コンタクトホール３５ａと副コンタクトホール３５ｂとが、図３で示したような接続配線３５Ｌによって接続されているので、蛇行部分４１ｂの蛇行長さに応じて接続配線３５Ｌの位置を調節することができる。この結果、副コンタクトホール３５ａと副コンタクトホール３５ｂとの間に、蛇行部分４１ｂを配置するための領域の面積を自由度高く設定することが可能となる。
【０１１９】
図４の（ｇ）〜（ｋ）は蛇行部分４１ａのみが設けられており、蛇行部分４１ａの蛇行長さが次第に短くなる。蛇行長さは、蛇行振幅の長さおよび回数によって調節可能である。蛇行部分４１ａの末端は副コンタクトホール３５ｂに接続されており、副コンタクトホール３５ａの横断領域、接続配線３５Ｌ、および、副コンタクトホール３５ｂの横断領域は、蛇行を伴わないフィード部Ｆの一部となる。
【０１２０】
図５に、外側のＣＳ幹配線ｂｂに接続されたフィード部Ｆを有する補助容量バスラインＣｓＬの、当該フィード部Ｆ側のアクティブエリアＡＡ端部における補助容量電圧Ｖｃｓの波形１０１（実線）と、内側のＣＳ幹配線ｂｂに接続されたフィード部Ｆを有する補助容量バスラインＣｓＬの、当該フィード部Ｆ側のアクティブエリアＡＡ端部における補助容量電圧Ｖｃｓの波形１０２（破線）とを示す。波形１０１と波形１０２とはほとんどの部分において重なっており、それぞれにおけるリップル電圧も等しいことが分かる。
【０１２１】
なお、上記例は、少なくとも、最も外側のＣＳ幹配線ｂｂ以外のＣＳ幹配線ｂｂに接続された全ての補助容量バスラインＣＳＬの各フィード部Ｆに蛇行部４１が備えられた構成であったが、本実施形態はこれに限ることはない。少なくとも１つの補助容量バスラインＣＳＬの少なくとも１つのフィード部Ｆに蛇行部４１を備えていてもよい。また、蛇行部４１の配線全長がアクティブエリアＡＡから上記接続箇所までの距離ｄの増加に応じて減少しなくてもよく、蛇行部４１の配線幅を任意に変えるなどして抵抗値の調整を行うことも可能である。この構成によれば、蛇行部４１の配線全長を調整することにより、フィード部Ｆの配線抵抗値を、同じＣＳ幹配線群ＢＢに属する全てのＣＳ幹配線ｂｂどうしの間で揃える、あるいは近くすることができる。
【０１２２】
図６に、本実施形態の他の構成を示す。
【０１２３】
図６では、各ＣＳ幹配線群ＢＢにおける少なくとも、最も内側のＣＳ幹配線ｂｂを除くＣＳ幹配線ｂｂに接続された補助容量バスラインＣｓＬは、アクティブエリアＡＡからＣＳ幹配線ｂｂとの接続箇所（コンタクトホール３５）に至るまでの箇所であるフィード部Ｆが、アクティブエリアＡＡから上記接続箇所までの距離ｄ（通常はフィード部ＦをアクティブエリアＡＡからの補助容量バスラインＣｓＬの延長線によって上記接続箇所まで延ばした場合の配線長に等しいと見なせる）に応じた配線幅Ｗを有している。
【０１２４】
この場合は、外側のＣＳ幹配線ｂｂに接続される補助容量バスラインＣｓＬのフィード部Ｆほど、配線幅Ｗが大きい。また、全体的な配線容量の調整を兼ねる目的など任意の目的で、最も内側のＣＳ幹配線ｂｂに接続された補助容量配線ＣｓＬのフィード部Ｆが、アクティブエリアＡＡから上記接続箇所までの距離ｄに応じた配線幅Ｗを有していてもよい。また、全体的な配線容量の調整などの任意の目的で、上記接続箇所より外側の領域で配線幅Ｗの大きい部分があってもよい。ＣＳ幹配線群ＢＢはアクティブエリアＡＡに対して片側に隣接する領域のみに設けられていてもよいことは前記例と同様である。
【０１２５】
これによっても、同様の効果を得ることができる。
【０１２６】
なお、上記例では、少なくとも、最も内側のＣＳ幹配線ｂｂを除くＣＳ幹配線ｂｂに接続された補助容量バスラインＣｓＬどうしは、互いに異なる配線幅Ｗを有している構成であったが、本実施形態はこれに限ることはない。複数の補助容量バスラインＣＳＬどうしでフィード部Ｆの配線幅Ｗが、互いに異なっていてもよい。また、蛇行部４１の配線全長がアクティブエリアＡＡから上記接続箇所までの距離ｄに対応していなくても、配線抵抗の調整が可能である。従って、配線幅ＷがアクティブエリアＡＡから上記接続箇所までの距離ｄの増加に応じて増加しない構成も考えられる。例えば、長さ方向で部分的に極端な幅の幅広部を持つもの、長さ方向で平均して中くらいの幅の幅広部をもつものなど、いろいろな組み合わせが可能である。
【０１２７】
この構成によれば、フィード部Ｆの配線幅Ｗをフィード部Ｆ間で調整することにより、フィード部Ｆの配線抵抗値を、同じＣＳ幹配線群ＢＢに属する全てのＣＳ幹配線ｂｂどうしの間で揃える、あるいは近くすることができる。
【０１２８】
なお、１つの絵素に含まれる副絵素は一般に複数でよく、補助容量バスラインＣｓＬの数が変更されるだけであるので、本実施形態のリップル電圧を揃える構成をそのまま適用することができる。
【０１２９】
また、本実施形態の構成を、マルチ絵素駆動を行わない他の駆動方式の表示装置に適用することもできる。例えば、各絵素に１本の補助容量バスラインＣｓＬが割り当てられており、異なるＣＳ幹配線ｂｂに同じ補助容量電圧Ｖｃｓを印加することができる。
【０１３０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３１】
本発明は、補助容量電圧を印加する表示装置に好適に使用することができる。
【符号の説明】
【０１３２】
１            液晶表示装置（表示装置）
２            表示部
２２ａ、２２ｂ
補助容量
３５ａ        副コンタクトホール（第２の副コンタクトホール）
３５ｂ        副コンタクトホール（第１の副コンタクトホール）
４１          蛇行部
Ｐ            絵素
ｓｐ１、ｓｐ２
副絵素
ＡＡ          アクティブエリア
ＣｓＬ        補助容量バスライン
ＣｓＬ１      補助容量バスライン
ＣｓＬ２      補助容量バスライン
Ｖｃｓ        補助容量電圧
Ｆ            フィード部
ＢＢ１、ＢＢ２
ＣＳ幹配線群
ｂｂ          ＣＳ幹配線
ｂｂｘ        ＣＳ副幹配線（第１のＣＳ副幹配線）
ｂｂｙ        ＣＳ副幹配線（第２のＣＳ副幹配線）
【図１】
2010007824.tif 000003
【図２】
2010007824.tif 000004
【図３】
2010007824.tif 000005
【図４】
2010007824.tif 000006
【図５】
2010007824.tif 000007
【図６】
2010007824.tif 000008
【図７】
2010007824.tif 000009
【図８】
2010007824.tif 000010
【図９】
2010007824.tif 000011
【図１０】
2010007824.tif 000012
【図１１】
2010007824.tif 000013
【図１２】
2010007824.tif 000014
【国際調査報告】
2010007824.tif 000015
2010007824.tif 000016
2010007824.tif 000017
2010007824.tif 000018